(57)【要約】      （修正有）【課題】少ない費用や労力で果実の完熟栽培ができる果樹用保護カバーを提供する。【解決手段】この果樹用保護カバー１は、透明な合成樹脂フィルムよりなる筒状部材２と、筒状部材２の上側及び下側の口部にそれぞれ設けられたひも通し部３，４と、ひも通し部３，４内に通して設けられた口ひも５を有し、口ひも５を引くことによって口部を閉じることができるものである。【選択図】図１
0003158288.tif 000002
【実用新案登録請求の範囲】
【請求項１】
透明な合成樹脂フィルムよりなる筒状部材と、筒状部材の上側及び下側の口部にそれぞれ設けられたひも通し部と、ひも通し部内に通して設けられた口ひもを有し、口ひもを引くことによって口部を閉じることができる果樹用保護カバー。
【請求項２】
筒状部材の内側上部にロート状の雨受け部材を備える請求項１に記載の果樹用保護カバー。
【請求項３】
上側のひも通し部は、筒状部材の上端における折り曲げ部と、折り曲げ部先端と筒状部材の本体部とが接続される接続部より形成されており、このひも通し部には複数の円弧状の切り込み部が設けられていて、雨受け部材を接続するための雨受け部材取り付けひもがこの切り込み部において口ひもに取り付けられている請求項２に記載の果樹用保護カバー。
【考案の詳細な説明】
【技術分野】
【０００１】
この考案は、みかんなどの果樹を保護するためのカバーに関するものである。
【背景技術】
【０００２】
農作物等の苗を保護するのに用いる苗帽子が特許文献１に記載されている。これは野菜などの小さな栽培植物を保護するものである。
【０００３】
また、果樹等の雨避けのための果樹覆い施設が特許文献２に記載されている。設営敷地の対峙する二辺上に複数本の支柱を立設し、ワイヤロープを張設し、複数本の張設帯を一体化した被覆用シートが伸展状に掛け渡されたものである（要約、特許請求の範囲、図１）。
【先行技術文献】
【特許文献】
【０００４】
【特許文献１】特開２００６−２９６３６６号公開公報
【特許文献２】特開２００３−１５３６３５号公開公報
【考案の概要】
【考案が解決しようとする課題】
【０００５】
特許文献１に記載されている苗帽子は小さな栽培植物を保護するものであり、みかんなど大きな果樹を保護するものではない。そこで、果樹を保護するためには、骨格となる多数の構造材とシートを組み合わせたビニールハウスなどの温室が使用される。特許文献２に記載されている果樹覆い施設は、通常のビニールハウスよりは簡素化されているが、複数の支柱によって建てられる構造であることには変わりがない。
【０００６】
したがって、特許文献２に記載されている果樹覆い施設も高価なものであり、設置に要する作業も小さくない。また、簡素になった分、開放部が大きく、冬季における防寒作用は十分でない。さらに、近年は果実栽培においても新品種の導入が頻繁となっており、新たな苗木が持ち込まれる機会が多いが、このような際の樹木の増減に対して、ビニールハウスや特許文献２に記載されている果樹覆い施設は対応しにくい。
【０００７】
完熟温州みかん栽培などにおいては、果実ごとに袋をかける有袋栽培を行い、１月から２月を中心に収穫するが、多額の費用と多大な労力がかかる。そのため、このような果実は高価格販売が期待できる付加価値の高いものでありながら、生産量が伸び悩んでいる。
【０００８】
この考案は、少ない費用や労力で果実の完熟栽培ができる果樹用保護カバーを提供することを目的とする。
【課題を解決するための手段】
【０００９】
上述の課題を解決するため、この考案の果樹用保護カバーは、透明な合成樹脂フィルムよりなる筒状部材と、筒状部材の上側及び下側の口部にそれぞれ設けられたひも通し部と、ひも通し部内に通して設けられた口ひもを有し、口ひもを引くことによって口部を閉じることができるものである。筒状部材の内側上部にロート状の雨受け部材を備えることが好ましい。この場合、上側のひも通し部を、筒状部材の上端における折り曲げ部と、折り曲げ部先端と筒状部材の本体部とが接続される接続部で形成し、このひも通し部には複数の円弧状の切り込み部が設けて、雨受け部材を接続するための雨受け部材取り付けひもをこの切り込み部において口ひもに取り付ける。
【考案の効果】
【００１０】
この考案の果樹用保護カバーは、口部に設けたひもを引いて口部を閉めることによって、簡単に果樹に取り付けることができる。１本の果樹全体を覆うことができ、果実ごとに袋を取り付ける必要がない。また、樹木ごとに取り付けるので、必要な本数だけ覆うことができ、樹木ごとに最適な取り付け時期を選択することもできる。また、筒状部材の内側上部にロート状の雨受け部材を設けることによって、上部に形成される通気口から入る雨水を果実に当たらないようにすることができる。
【図面の簡単な説明】
【００１１】
【図１】果樹用保護カバーの概要を示す概念図である。
【図２】果樹用保護カバーの本体部を示す斜視図である。
【図３】ひも通し部の切り込みを示す正面図である。
【図４】雨受け部材を示す斜視図である。
【考案を実施するための形態】
【００１２】
この考案を実施するための最良の形態について説明する。図１は果樹用保護カバーの概要を示す概念図、図２は果樹用保護カバーの本体部を示す斜視図、図３はひも通し部の切り込みを示す正面図である。
【００１３】
果樹用保護カバー１の本体部２は、塩化ビニールなど透明な合成樹脂フィルムで形成されている。みかん樹など適用対象となる果樹ｘを覆うことができる大きさの筒状部材であり、その上側の口部には上部口ひも通し部３が、下側の口部には下部口ひも通し部４が設けられている。
【００１４】
図３に基づいて上側の口ひも通し部３について説明する。この口ひも通し部３は、たとえば筒状部材の端部を折り曲げ、その折り曲げ部先端と筒状部材の本体部の合わせ面を熱圧着などで接続することにより形成することができる。この折り曲げ部３ａと接続部３ｂによって形成される円環状の口ひも通し部３には、複数の円弧状の切り込み部３ｃが設けられていている。下側の口ひも通し部４も上側の口ひも通し部３と同様に形成すればよい。
【００１５】
筒状部材である本体部２の上下には、口ひも５が取り付けられている。上部口ひも通し部３には２本の口ひも５が通されており、それぞれの口ひも５の端部は、対称の位置にある切り込み部３ｃより外部に引き出されている。一方、下側の口ひも通し部４には、１本の口ひも５が通されている。
【００１６】
次に雨受け部材について説明する。図４は雨受け部材を示す斜視図である。雨受け部材６は上に向かって広がるロートの形状を有する。剛性のある合成樹脂で形成してもよいが、上側口部を針金などで補強した円錐状のビニールなどでもよい。
【００１７】
雨受け部材６の上側には、口部に沿って複数の雨受け部材取り付けひも７が取り付けられている。この雨受け部材取り付けひも７の他端側は、上部口ひも通し部３の切り込み部３ｃにおいて、口ひも５に掛けられるようにして接続されている。
【００１８】
ついで、果樹用保護カバーの使用方法について説明する。下側の口ひもを緩め、果樹本体部２の下側の口を十分に開く。一方、上側の口ひもを引き、上側の口は小さく閉める。果樹用保護カバー１を果樹ｘにかぶせる。ついで、下側の口ひもを引き、下側の口を閉める。この下側の口ひも５の端部を枝や幹に縛り付けることによって、果樹用保護カバー１は果樹ｘに取り付けられる。上側の口ひも５の引き具合を適宜調整し、排気の必要性に応じて上側の開口の程度を適切に設定する。こうして、上部には排気口が形成され、高温の空気は上昇して排気口から排出され、低温の空気が樹冠下より入る。この空気の流れにより、高温障害が防止される。
【００１９】
ひも通し部３，４には複数の円弧状の切り込み部が設けられていて、この部分では口ひも５とひも通し部３，４の間に摩擦が生じないので、口ひも５を引いたときに口ひも５はひも通し部３，４をスムーズに移動することができ、口部は全体が均一に縮小する。それでも、口部の一部において他の部分よりも強い引っ張りが生じる可能性はあるが、ひも通し部３，４では合成樹脂フィルムが二重になっていて丈夫な上、切り込み部が円弧状であることによって応力集中が緩和され、破れにくくなっている。
【００２０】
このようにして果樹用保護カバー１が果樹ｘに取り付けられたとき、雨受け部材６は樹冠部に形成される排気口の下にセットされることになる。ここで、雨受け部材６の上側の口は排気口より若干大きめになるような大きさのものが選択されている。また、下側の口は、葉や果実がほとんどない空間である果樹ｘの中心部に位置する。降雨時に排気口より果樹用保護カバー１の中に侵入した雨水は雨受け部材６によって集められ、果樹ｘの中心部を通って落下するので、雨が果実にあたることが防止される。
【００２１】
こうして、１本の果樹に果樹用保護カバー１を取り付けることによって、その果樹のすべての果実を保護することができ、一樹用のビニールハウスとして作用する。費用も労力も小さくて済む。必要な本数の果樹のみに取り付けることができるので効率がよい。しかも、それぞれの果樹の状態に合わせて、取り付けや撤去の時期を個別に選択することもできる。
【００２２】
たとえば、温州みかんに適用する場合、１月から２月に収穫するような完熟栽培が容易にできる。精品歩留まりが７０％以上となり、通常の栽培の歩留まりが５０〜６０％であるのと比較して、極めて良好な成績である。素材としてビニールを使用した場合、５〜７年の耐用年数があり、極めて経済的である。３月まで取り付けておけば、冬季の落葉が少なくなり、翌年結果が抑制される。さらに、上部に排気口が形成されていることによって、ビニールハウスよりも耐風性があるなど、さまざまな効果を有する。
【００２３】
また、晩柑類にも適している。品種「紅マドンナ」は着色期以降に雨に当たると花梗部にクラッキングが発生して品質が著しく低下するが、この考案の果樹用保護カバーを使用すれば、雨に当たらないので、精品率が向上する。品種「デコポン」に使用する場合、開花期まで被覆しておけば、デコ部分が大きくなり、果実自体も大きく成長する。品種によっては、収穫時期を遅らせて、完熟で収穫することができる。たとえば、通常１月〜３月の収穫時期であるところを４月〜５月に収穫することができる。さらに、開花時期を促進するなどの効果も有する。
【符号の説明】
【００２４】
１．果樹用保護カバー
２．本体部（筒状部材）
３．上側のひも通し部
４．下側のひも通し部
５．口ひも
６．雨受け部材
７．雨受け部材取り付けひも
【図１】
0003158288.tif 000003
【図２】
0003158288.tif 000004
【図３】
0003158288.tif 000005
【図４】
0003158288.tif 000006